(57)【要約】【課題】  ノックボタンの押圧動作で塗布液を吐出可能であって、不使用時の保管状態でノックボタンを収容して不用意に塗布液が吐出することをなくし、使用時に軽い力でノック操作できる液体塗布具を提供する。【解決手段】  キャップ２８開放時は、塗布具先端側に付勢された塗布体２２が塗布具先端側にスライドし、その際にノックボタン３２の傾斜部３２ａが、塗布体突起部２２ａに押圧される事でノックボタン３２が連動して作動し、先軸１２側面よりノックボタン３２が上昇・突出し、同時にバルブセット１４が開く構造を有する。使用の際は、突出したノックボタン３２を押圧・解除する事で、ノックボタン３２の傾斜部３２ａと塗布体突起部２２ａの接触面を介して、塗布体２２が軸方向に摺動する事でバルブセット１４が開閉可能な構造である。【選択図】図５
2014148069.tif 000002
【特許請求の範囲】
【請求項１】
軸本体内に内溶液を収納し、軸本体の口部には、当該口部と先軸との間に挟まり固定されたバルブセットを備え、
先軸内には、塗布芯およびその保持具とインク導入管とが一体となった塗布体を有し、
塗布体はスプリングにより塗布具先端側へ付勢され、且つ軸方向に摺動可能で、バルブセット内でも摺動可能であり、
インク導入管は、上記バルブセット内のパッキングによりシールされ、
キャップは先軸と嵌合し、塗布体とのシール部を有し
先軸側面には、バルブセット開閉の為のノックボタンを配置した液体塗布具に於いて、
ノックボタンに設けられた傾斜部と塗布体に設けられた塗布体突起部とが係合し、ノックボタンが先軸の径方向に沿って先軸の側面から上昇・下降方向に移動することによって、塗布体が軸本体の軸芯方向に沿って先方・後方に移動する構成になっており、
キャップ開放時は、塗布具先端側に付勢された塗布体が塗布具先端側にスライドし、
その際にノックボタンの傾斜部が、塗布体突起部に押圧される事でノックボタンが連動して作動し、先軸側面よりノックボタンが上昇・突出し、略同時にバルブセットが開く構造を有し、
使用の際は、
突出したノックボタンを押圧・解除する事で、ノックボタンの傾斜部と塗布体突起部の接触面を介して、塗布体が軸方向に摺動する事でバルブセットが開閉可能な構造であり、
キャップを閉めた際には、塗布具先端側に付勢された塗布体が軸本体側にスライドし、
その際にノックボタンのもう一方の傾斜部が、塗布体のもう一方の突起部に押圧される事でノックボタンが連動して作動し下がり、先軸内に収納され、同時にバルブセットが閉じる構造を有することを特徴とする液体塗布具。
【請求項２】
バルブセット内に弁棒を配置し、塗布体と一体に作動し、液を吐出するとともに、キャップ開放時も塗布芯と軸本体内を遮断する構造としたことを特徴とする請求項１に記載の液体塗布具。
【請求項３】
キャップと先軸は螺子嵌合である事を特徴とする請求項１又は請求項２に記載の液体塗布具。
【発明の詳細な説明】
【技術分野】
【０００１】
本発明は、ペン先をポンピングしてバルブを開閉させる事により液を吐出する構造を有する、サインペン（筆記具）やネイルアート等（化粧品）の様な液体塗布具に関する。
【背景技術】
【０００２】
従来、周知の液体塗布具の構造として、ペン先をポンピングする事で、バルブセットの弁棒が連動し開き、液が吐出される。そしてポンピングを解除するとバルブセットの弁棒が閉じる。
【０００３】
この場合、ポンピングする場所を選定する必要があり面倒である。紙面上でポンピングを行った場合、過剰に液が吐出され紙面を汚してしまう恐れがある。
【０００４】
また、この構造では、ペン先を介してバルブセットの弁棒が開閉する構造の為、筆等、柔らかい塗布具ではこの構造は使用出来ず、ＰＯＭ（ポリアセタール）製のプラペン芯等、ペン先が硬い種類のものに材質が限定されてしまう。
【０００５】
例え硬い材質のものであっても、ポンピングの際、先端に過度の力が加わる事で、先端が破損してしまい、特にプラペン芯の場合は細かい描線を描く事が出来なくなってしまうと言った問題があった。
【０００６】
そこで、ポンピングを必要とせずにノックボタンの押圧動作で液を塗出可能な技術（下記特許文献１〜４）が開示されている。
【０００７】
特開２０１２−８３１号公報（：特許文献１）には、ペン芯の後方にノック機構とバルブ機構を設けたサイドノック式塗布具が開示されている。
【０００８】
また、特開２００６−２７１６５３号公報（：特許文献２）には、サイドノック式で、カートリッジタンク式内にディスクを移動させて液体化粧品をブラシに所定量を吐出させるようにした液状化粧品容器が開示されている。
【０００９】
また、特開２００５−２１２４１８号公報（：特許文献３）には、サイドノックボタンの操作により、先軸内の内軸を回転させてピストンを押し出して塗布物を繰り出すようにした再度ノック式繰り出し機構が開示されている。
【００１０】
また、特開２００９−２８５２５５号公報（：特許文献４）には、サイドノック操作によってスライドバルブ及びスライドパッキンがタンク部から液体を液体通路へと押し出し、ノック解除によって液体通路とタンク部とを非連通としたサイドノック式液田繰り出し装置が開示されている。不使用時には、キャップによってノックボタンを隠す構造である。
【先行技術文献】
【特許文献】
【００１１】
【特許文献１】特開２０１２−８３１号公報
【特許文献２】特開２００６−２７１６５３号公報
【特許文献３】特開２００５−２１２４１８号公報
【特許文献４】特開２００９−２８５２５５号公報
【発明の概要】
【発明が解決しようとする課題】
【００１２】
しかしながら、特許文献１はノックボタンが突出しており、不使用時での保管状態によっては誤ってノックボタンを押してしまい、不必要に液を吐出してしまうおそれがある。
【００１３】
また、特許文献２、３はノックボタンの押圧時にピストンを駆動させるため、ピストンの押し出し力が大きくなるため、液の吐出がしにくい。
【００１４】
また、特許文献４はキャップがノックボタンを隠す構造となっていることによってキャップが大きくなってしまい意匠性に制約がでてしまう。
【００１５】
本発明は、斯かる実情に鑑み、ノックボタンの押圧動作で塗布液を吐出可能であって、不使用時の保管状態でノックボタンを収容して不用意に塗布液が吐出することをなくし、使用時に軽い力でノック操作できる液体塗布具を提供するものである。
【課題を解決するための手段】
【００１６】
本発明は、軸本体内に内溶液を収納し、軸本体の口部には、当該口部と先軸との間に挟まり固定されたバルブセットを備え、
先軸内には、塗布芯およびその保持具とインク導入管とが一体となった塗布体を有し、
塗布体はスプリングにより塗布具先端側へ付勢され、且つ軸方向に摺動可能で、バルブセット内でも摺動可能であり、
インク導入管は、上記バルブセット内のパッキングによりシールされ、
キャップは先軸と嵌合し、塗布体とのシール部を有し
先軸側面には、バルブセット開閉の為のノックボタンを配置した液体塗布具に於いて、
ノックボタンに設けられた傾斜部と塗布体に設けられた塗布体突起部とが係合し、ノックボタンが先軸の径方向に沿って先軸の側面から上昇・下降方向に移動することによって、塗布体が軸本体の軸芯方向に沿って先方・後方に移動する構成になっており、
キャップ開放時は、塗布具先端側に付勢された塗布体が塗布具先端側にスライドし、
その際にノックボタンの傾斜部が、塗布体突起部に押圧される事でノックボタンが連動して作動し、先軸側面よりノックボタンが上昇・突出し、同時にバルブセットが開く構造を有し、
使用の際は、
突出したノックボタンを押圧・解除する事で、ノックボタンの傾斜部と塗布体突起部の接触面を介して、塗布体が軸方向に摺動する事でバルブセットが開閉可能な構造であり、
キャップを閉めた際には、塗布具先端側に付勢された塗布体が軸本体側にスライドし、
その際にノックボタンのもう一方の傾斜部が、塗布体のもう一方の突起部に押圧される事でノックボタンが連動して作動し下がり、先軸内に収納され、略同時にバルブセットが閉じる構造を有することを特徴とする液体塗布具である。
【００１７】
本発明においては、バルブセット内に弁棒を配置し、塗布体と一体に作動し、液を吐出するとともに、キャップ開放時も塗布芯と軸本体内を遮断する構造としたことが好適である。
【００１８】
また、本発明においては、キャップと先軸は螺子嵌合であることが好適である。
【発明の効果】
【００１９】
本発明の液体塗布具によれば、キャップ嵌合に伴いノックボタンが上下するので外観形態に意匠的な楽しみが得られる。
【００２０】
請求項１に記載の液体塗布具の場合、ポンピングはペン先でなくノックボタンで行う為、バルブセットのポンピングの際にペン芯を傷付けてしまう事がない。
【００２１】
また、キャップ開放時にはノックボタンが突出し、キャップを閉めた際にはノックボタンは収納されるので、不使用時の誤動作を防止すると共に、突起物が無くケース等に収納し易い。
【００２２】
本発明において、バルブセット内に弁棒を配置し、塗布体と一体に作動し、液を吐出するとともに、キャップ開放時も塗布芯と軸本体内を遮断する構造としたことによって、更にバルブセット内に弁棒を付加した為、負圧になった軸本体内の内溶液を吐出する効果があり、また、キャップを開けたままの状態でもバルブが閉じているので液漏れの心配がない。
【００２３】
また、キャップと先軸を螺子嵌合とすることで、ペン先側に付勢された塗布体を確実に固定することが可能となる等の優れた効果を奏し得る。
【図面の簡単な説明】
【００２４】
【図１】本発明の第１実施形態に係る液体塗布具のキャップを外した説明図で、（ａ）がノックボタン側の側面図、（ｂ）が同縦断面図、（ｃ）ノックボタンを上向きにした側面図、（ｄ）が同縦断面図である。
【図２】同液体塗布具でキャップを取り付けた説明図で、（ａ）がノックボタン側の側面図、（ｂ）が同縦断面図、（ｃ）ノックボタンを上向きにした側面図、（ｄ）が同縦断面図である。
【図３】同液体塗布具の斜視図であって、（ａ）がキャップを外した説明図、（ｂ）がキャップを取り付けた説明図である。
【図４】同液体塗布具の先端側を拡大した斜視図であって、（ａ）がノックボタン非押圧時の説明図、（ｂ）がノックボタン押圧時の説明図である。
【図５】同液体塗布具と先端側を拡大した縦断面図であって、（ａ）がキャップを外した説明図、（ｂ）がキャップを取り付けた説明図である。
【図６】同液体塗布具のノックボタンと塗布体の組図で、（ａ）が押圧時の説明図、（ｂ）が非押圧時の説明図である。
【図７】同液体塗布具のインク導入管の部品図で、（ａ）が先端側から見た図、（ｂ）が先端側からの斜視図、（ｃ）がノックボタンの装着側から見た側面図、（ｄ）が別方向から見た側面図、（ｅ）が縦断面図、（ｆ）が後端側から見た図、（ｇ）が後端側からの斜視図である。
【図８】同液体塗布具のノックボタンの部品図で、（ａ）が先端側から見た図、（ｂ）が押圧側から平面図、（ｃ）が側面図、（ｄ）が軸方向に沿う縦断面図、（ｅ）が斜視図、（ｆ）が後端側から見た図、（ｇ）が軸方向に垂直の縦断面図である。
【図９】本発明の第２実施形態に係る液体塗布具のキャップを外した説明図で、（ａ）がノックボタン側の側面図、（ｂ）が同縦断面図、（ｃ）ノックボタンを上向きにした側面図、（ｄ）が同縦断面図である。
【図１０】同液体塗布具でキャップを取り付けた説明図で、（ａ）がノックボタン側の側面図、（ｂ）が同縦断面図、（ｃ）ノックボタンを上向きにした側面図、（ｄ）が同縦断面図である。
【図１１】同液体塗布具の斜視図であって、（ａ）がキャップを外した説明図、（ｂ）がキャップを取り付けた説明図である。
【図１２】同液体塗布具の先端側を拡大した断面であって、（ａ）がキャップ非装着時の説明図、（ｂ）がキャップ装着時の説明図である。
【図１３】同液体塗布具のバルブセット周辺を詳細に示す拡大断面図である。
【図１４】同液体塗布具の縦断した斜視図であって、（ａ）がキャップ非ノック時の説明図、（ｂ）がノック時の説明図である。
【発明を実施するための形態】
【００２５】
以下、本発明の実施の形態について添付図面を参照して説明する。
【００２６】
図１〜図９は本発明の第１実施形態に係る液体塗布具の説明図である。
図１〜図４が液体塗布具の全体説明図で、図１がキャップを外した状態、図２がキャップをした状態、図３（ａ）がキャップを外し、（ｂ）がキャップを嵌めた状態、図４がキャップを外した状態、図５が液体塗布具の先端部の詳細拡大図、図６が液体塗布具のノックボタンと塗布体の組図、図７が同液体塗布具のインク導入管、図８が同液体塗布具のノックボタンのそれぞれの説明図である。
【００２７】
図１〜図４に示すように、軸本体１０内に内溶液を収納し、軸本体１０の口部１０ａには、当該口部１０ａと先軸１２との間に挟まり固定されたバルブセット１４を備えている。
【００２８】
先軸１２内には、塗布芯１６およびその保持具のクチプラ１８とインク導入管２０とが一体となった塗布体２２を有している。
【００２９】
塗布体２２はスプリング２４により塗布芯１６先端側へ付勢され、且つ軸方向に摺動可能で、バルブセット１４内でも摺動可能である。
【００３０】
インク導入管２０は、上記バルブセット１４内のパッキング２６によりシールされる。
【００３１】
キャップ２８は先軸１２と嵌合し、塗布体２２とのシール部３０を有する。
【００３２】
先軸１２側面には、バルブセット１４開閉の為のノックボタン３２を配置した液体塗布具である。
【００３３】
（キャップ２８）
キャップ２８は、図１、図２、図５に示すように、塗布芯１６の先端部を覆う部分が細くなり、その外周に筒状部２８ａが延在している。キャップ２８の後端部２８ｂ内には雌ネジ山が形成されている。キャップ２８の後端部２８ｂの先端部外周は段状に縮径し、その先端部外周に内筒２８ｃが形成されている。
【００３４】
不使用時に、キャップ２８を塗布具に取り付ける際には、キャップ２８の後端部２８ｂ内の雌ネジ山が先軸１２先端部の雄ネジ山に螺子嵌合して閉ざす構造になっている。
【００３５】
（軸本体１０）
軸本体１０は、図１、図２に示すように、先端の口部１０ａが本体部１０ｂより細径になり、その本体部１０ｂ内において、口部１０ａ以外が閉ざされた塗布液収容部になっている。本体部１０ｂ内には、塗布液の攪拌用の攪拌ボール３４が収容されている。
【００３６】
（先軸１２）
先軸１２は、図５に詳細に示すように、一部側壁に開口１２ａの形成された先後に延びる概略筒状体であり、後端部の内面の雌ネジ１２ｂが軸本端の口部１０ａ外周の雄ネジに螺合して、軸本体１０に固定される。この開口１２ａにノックボタン３２が先軸１２径方向に沿って先軸１２の側面から上昇・下降方向に移動する構成になっている。
【００３７】
(バルブセット１４）
バルブセット１４は、軸本体１０の口部１０ａと先軸１２との間に挟まり固定されている。具体的には、バルブセット１４のうちの概略筒状の弁座１４ａが口部１０ａ内に嵌入しており、弁座１４ａの先方部がフランジ状に拡径して該口部１０ａの先端に当接し、先軸１２との間に挟み込んで固定されている。この弁座１４ａの先方部のフランジ状に拡径した内部は空間であってその空間にバルブセット１４のうちのパッキング２６が嵌りこんでいる。パッキング２６は、インク導入管２０の外周面に摺接して弁座１４ａから先方に塗布液が漏れださないようにしている。なお、パッキング２６には、ポリエチレン、ゴム、シリコーンゴム、エラストマー等の柔軟性の各種樹脂を用いることができる。
【００３８】
弁座１４ａ内には先方向きの円錐状にバルブセットシール部１４ｂが形成され、このバルブセットシール部１４ｂにインク導入管２０の後端開口が当接・離脱して軸本体１０内の塗布液収容部（本体部１０ｂ内空間）がインク導入管２０を対して閉鎖・開口する構成になっている。バルブセットシール部１４ｂの外周部はリブで弁座１４ａ内壁に固定されており、塗布液はリブ間の空間を通って前後に流通可能に開口している（図１（ｂ）参照）。
【００３９】
弁座１４ａの後端側は櫛状に隙間を設けており、攪拌ボール３４が当接しても弁座１４ａに本体部１０ｂ内空間との塗布液の流通が確保されるようになっている。
【００４０】
（塗布体２２）
先軸１２内には、塗布芯１６およびその保持具のクチプラ１８とインク導入管２０とが一体となった塗布体２２を有している。塗布芯１６は先細のペン芯からなり、塗布液を含浸する繊維を束ねた刷毛状体、繊維成形体、連続気泡体、毛細管力のある塗布液誘導溝を設けた樹脂成形体など、種々のものを用いることができる。
【００４１】
クチプラ１８は、塗布芯１６を外周から先後方向に誘導可能に覆っており、後側内部には、塗布液の一時保留体として、多孔質のスポンジ体１８ａが配置されている。
【００４２】
インク導入管２０は、その先端に塗布芯１６の後端が嵌りこんで連通して管状にバルブセット１４まで延在しており、内部にスプリング２４が、配設されている。塗布体２２はこのスプリング２４により塗布芯１６先端側へ付勢され、且つ軸方向に摺動可能で、バルブセット１４内でもインク導入管２０の後端が摺動可能である。スプリング２４後端が、バルブセット１４のバルブセットシール部１４ｂに係止し、先端がインク導入管２０先端部内に係止して、インク導入管２０がノックボタン３２の操作によって前記スプリング２４の付勢力に抗して後方に向けて移動させられたときに塗布体２２全体が後方に移動し、所定位置まで後方移動するとインク導入管２０の後端開口にバルブセットシール部１４ｂが嵌りこんで当該開口を閉ざす構造になっている。
【００４３】
（ノックボタン３２）
ノックボタン３２は、図１等に示すように、ノック部３２ｂが作動方向視で楕円形を呈し、先軸１２側面の開口１２ａから使用者の操作によって出没する。
【００４４】
図６では、ノックボタン３２が先軸１２の径方向（中心軸の垂直方向）に沿って先軸１２の側面の開口１２ａから上昇方向を「Ｕ」で、下降方向を「Ｄ」で示している。
【００４５】
ノックボタン３２は、図６に示すように、上昇Ｕ・下降Ｄ方向に沿ってノック部３２ｂの反対側端部が二股３２ｃに分かれた概略鞍型を呈し、鞍型の二股３２ｃ内にインク導入管２０を通す構造になる。この二股３２ｃの軸本体１０に軸方向に沿って前後に傾斜部３２ａが形成されている。
【００４６】
（インク導入管２０）
インク導入管２０は、図７に示すように、先端部がフランジ状の拡径しており、先端が花弁状の孔２０ａを貫通させた管状体である。インク導入管２０の長手方向における側面部の２箇所には、突起部２２ａが形成されている。この突起部２２ａは、前記ノックボタン３２の傾斜部３２ａに対応し当接するための箇所が斜面に形成されている。
【００４７】
（ノックボタン３２とインク導入管２０との協動）
ノックボタン３２に設けられた傾斜部３２ａと塗布体２２のインク導入管２０に設けられた塗布体突起部２２ａとが係合し、図１、図４、図６に示すように、ノックボタン３２が先軸１２の径方向に沿って先軸１２の側面の開口１２ａから上昇Ｕ・下降Ｄ方向に移動することによって、塗布体２２が軸本体１０の軸芯方向（図６に符号「Ｃ」で示す）に沿って先方・後方に移動する構成になっている。
【００４８】
なお、軸本体１０、塗布体２２のクチプラ１８、インク導入管２０、キャップ２８等の各部構成品には、樹脂材（例えばポリプロピレン、ポリエチレン、ポリアセタールや複数の樹脂の混合物）等の各種材質のものを用いることができる。スプリング２４には、ＳＵＳを用いことができる。
【００４９】
次に、第１実施形態の液体塗布具の作用について説明する。
【００５０】
液体塗布具では、図１、図３（ａ）、図５（ａ）に示すように、キャップ２８開放時は、塗布具先端側に付勢された塗布体２２が塗布具先端側にスライドする。
【００５１】
その際にノックボタン３２の傾斜部３２ａが、塗布体突起部２２ａに押圧される事でノックボタン３２が連動して作動し、先軸１２側面よりノックボタン３２が上昇・突出し、同時にバルブセット１４が開く構造を有する。
【００５２】
使用の際は、突出したノックボタン３２を押圧・解除する事で、ノックボタン３２の傾斜部３２ａと塗布体突起部２２ａの接触面を介して、塗布体２２が軸方向に摺動する事でバルブセット１４が開閉可能な構造である。
【００５３】
一方、キャップ２８を閉めた際には、図２、図３（ｂ）、図５（ｂ）に示すように、塗布具先端側に付勢された塗布体２２が軸本体１０側にスライドする。
【００５４】
その際にノックボタン３２のもう一方の傾斜部３２ａが、塗布体２２のもう一方の突起部２２ａに押圧される事でノックボタン３２が連動して作動し下がり、先軸１２内に収納され、同時にバルブセット１４が閉じる構造を有する。
【００５５】
第１実施形態に係る液体塗布具によれば、キャップ２８嵌合に伴いノックボタン３２が上下するので外観形態に意匠的な楽しみが得られる。
【００５６】
また、キャップ２８開放時にはノックボタン３２が突出し、キャップ２８を閉めた際にはノックボタン３２は収納されるので、不使用時の誤動作を防止すると共に、突起物が無くケース等に収納し易い。
【００５７】
また、ポンピングはペン先でなくノックボタン３２で行う為、バルブセット１４のポンピングの際に塗布芯１６を傷付けてしまう事がない。
【００５８】
次に、第２実施形態に係る液体塗布具について説明する。
【００５９】
図９が、本発明の第２実施形態に係る液体塗布具のキャップを外した説明図、図１０が同液体塗布具でキャップを取り付けた説明図、図１１が同液体塗布具の斜視図、図１２が同液体塗布具の先端側を拡大した断面である。
【００６０】
第２実施形態の液体塗布具においては、バルブセット３６内に弁棒を配置し、塗布体と一体に作動し、液を吐出するとともに、キャップ２８開放時も塗布芯と軸本体１０内を遮断する構造としたものである。
【００６１】
この液体塗布具は、第１実施形態のバルブセット１４とは異なるバルブセット３６を設けたものである。このバルブセット３６は、図１２に詳細に示すように、軸本体１０の口部１０ａに嵌入する筒状のスプリング受け３８と、このスプリング受け３８内配設の弁棒４０及びスプリング４２と、弁棒４０の先方に位置して、スプリング受け３８内に配設される弁座４４とが設けられる。
【００６２】
詳しくは図１２、図１３に示すように、スプリング受け３８は、後端が閉じているが側面に流通孔３８ａがスリット状に複数開口し、その流通孔３８ａによって軸本体１０の本体部１０ｂ内に連通する。弁棒４０は先端部が細軸に形成され後端部がカップ状を呈して、スプリング受け３８内で摺動可能になっている。
【００６３】
スプリング受け３８内に弁座４４は内部空間が後方側で細くなるテーパー部４４ａが形成され、インク導入管２０の後端に後方窄まりのシール部２０ｂが一体に形成される。なお、その他の構成は前記第１実施形態に係る液体塗布具と同様のため、同様部分に同一符号を付してその説明を略する。
【００６４】
第２実施形態の液体塗布具によれば、非ノック時には、図９、図１２（ａ）図１４（ａ）に示すように、ノックボタン３２が上昇しており、塗布体２２が先方に位置している。この場合、弁座４４からシール部２０は離れているが、弁棒４０の先端が弁座４４の孔に入っていて、かつ、流通孔３８ａが弁棒４０後端部の側面によって塞がれている。
【００６５】
ノック時には、ノックボタン３２の下降によって塗布体２２のインク導入管２０が後退し、前記シール部２０ｂの後端の穴が前記弁棒４０先端に嵌って該弁棒４０を後方に移動させる。
【００６６】
そして、弁棒４０が一定以上に後退すると、図１３、図１４（ｂ）に示すように、それまで、弁棒４０が塞いでいたスプリング受け３８の流通孔３８ａが開口する。塗布液が流通孔３８ａを通って弁棒４０の先方に流入する。それと共に、インク導入管２０のシール部２０ｂが弁座４４のテーパー部４４ａに当たってシールし（水密し）をその後に前記流通孔３８ａから塗布液が流れ込まないようにしている。
【００６７】
上記のように実施形態２の液体塗布具によれば、上記第１実施形態の作用効果と共に、バルブセット３６内に弁棒４０を配置し、塗布体２２と一体に作動し、液を吐出するとともに、キャップ２８開放時も塗布芯と軸本体１０内を遮断する構造としたことによって、更にバルブセット３６内に弁棒を付加した為、負圧になった軸本体１０内の内溶液を吐出する効果があり、また、キャップ２８を開けたままの状態でも弁棒４０側面で流通孔３８ａが閉鎖してバルブセットが閉じているので液漏れの心配がない。
【００６８】
また、第１実施形態、及び第２実施形態の液体塗布具では、キャップ２８と先軸１２を螺子嵌合とすることで、ペン先側に付勢された塗布体２２を確実に固定することが可能となる等の優れた効果を奏し得る。
【産業上の利用可能性】
【００６９】
本発明の液体塗布具は、側面にノックボタンの操作によって液体の化粧料、筆記用インク、修正用インク等の繰り出しができるサイドノック式繰り出しの液体塗布具として利用することができる。
【符号の説明】
【００７０】
１０  軸本体
１０ａ軸本体の口部
１０ｂ  軸本体の本体部
１２  先軸
１２ａ  先軸の側面の開口
１２ｂ  先軸の雌ネジ
１４  バルブセット（第１実施形態）
１４ａ  弁座
１４ｂ  バルブセットシール部
１６  塗布芯
１８  クチプラ
１８ａ  スポンジ体
２０  インク導入管
２０ａ  孔
２０ｂ  シール部（第２実施形態）
２２  塗布体（第１実施形態）
２２ａ  インク導入管に設けた突起部
２４  スプリング
２６  パッキング
２８  キャップ
３０  シール部
３２  ノックボタン
３２ａ  ノックボタンの傾斜部
３２ｂ  ノックボタンのノック部
３２ｃ  ノックボタンの二股
３６  バルブセット（第２実施形態）
３８  スプリング受け
３８ａ  スプリング受けの流通孔
４０  弁棒
４２  スプリング
４４  弁座
４４ａ  弁座のテーパー部
Ｄ  下降
Ｕ  上昇
【図１】
2014148069.tif 000003
【図２】
2014148069.tif 000004
【図３】
2014148069.tif 000005
【図４】
2014148069.tif 000006
【図５】
2014148069.tif 000007
【図６】
2014148069.tif 000008
【図７】
2014148069.tif 000009
【図８】
2014148069.tif 000010
【図９】
2014148069.tif 000011
【図１０】
2014148069.tif 000012
【図１１】
2014148069.tif 000013
【図１２】
2014148069.tif 000014
【図１３】
2014148069.tif 000015
【図１４】
2014148069.tif 000016